(57)【要約】      （修正有）【課題】本体の外観形状に自由度を持たせることが可能な構成で、開位置保持とクリック機構を有する蓋開閉機構を提供する。【解決手段】開口部を有する本体と、前記開口部を塞ぐ蓋（１０２）と、を備え、前記本体は、前記蓋（１０２）が取り付く穴を有し、前記蓋（１０２）は、前記穴に貫通する軸（１０２ａ）を有し、前記開口部は、前記軸（１０２ａ）が、前記穴に対してスライドすることで、解放され、前記蓋（１０２）は、前記開口部が解放された状態で、前記軸（１０２ａ）を中心に回転可能に保持され、前記軸は凸部を有し、前記穴は凹部を有し、前記凸部（１０２ｃ）と前記凹部は、前記蓋（１０２）が前記軸（１０２ａ）を中心に回転する際に、互いに干渉する位相がひとつ以上存在する。【選択図】図２
2019132871.tif 000002
【特許請求の範囲】
【請求項１】
開口部（１０１ａ）を有する本体（１０１）と、
前記開口部（１０１ａ）を塞ぐ蓋（１０２）と、を備え、
前記本体（１０１）は、前記蓋（１０２）が取り付く穴（１０１ｂ）を有し、
前記蓋（１０２）は、前記穴（１０１ｂ）に貫通する軸（１０２ａ）を有し、
前記開口部（１０１ａ）は、前記軸（１０２ａ）が、前記穴（１０１ｂ）に対してスライドすることで、解放され、
前記蓋（１０２）は、前記開口部（１０１ａ）が解放された状態で、前記軸（１０２ａ）を中心に回転可能に保持され、
前記軸（１０２ａ）は凸部（１０２ｃ）を有し、
前記穴（１０１ｂ）は凹部（１０１ｃ）を有し、
前記凸部（１０２ｃ）と前記凹部（１０１ｃ）は、前記蓋（１０２）が前記軸（１０２ａ）を中心に回転する際に、互いに干渉する位相がひとつ以上存在することを特徴とする蓋開閉機構（１００）。
【請求項２】
前記凸部（１０２ｃ）は、前記軸（１０２ａ）からの凸量が、前記軸（１０２ａ）の長さ方向に対して変化することを特徴とする請求項１に記載の蓋開閉機構（１００）。
【請求項３】
前記凸部（１０２ｃ）は、前記軸（１０２ａ）からの凸量が、前記軸（１０２ａ）の根本側が大きく、先端側が小さいことを特徴とする請求項２に記載の蓋開閉機構（１００）。
【請求項４】
前記凸部（１０２ｃ）は、前記開口部（１０１ａ）が塞がれた状態では、前記穴（１０１ｂ）の内部に存在しないことを特徴とする請求項１に記載の蓋開閉機構（１００）。
【請求項５】
前記軸（１０２ａ）と前記穴（１０１ｂ）との干渉位相の内の一つは、前記蓋（１０２）が自重で回転しようとした際にも、干渉による保持力によって、前記軸（１０２ａ）の長さ方向から見て、前記開口部（１０１ａ）が前記蓋（１０２）で隠れない位置であることを特徴とする請求項１に記載の蓋開閉機構（１００）。
【請求項６】
前記軸（１０２ａ）と前記凸部（１０２ｃ）は、弾性限界が大きい材質であることを特徴とする請求項１乃至５のいずれか１項に記載の蓋開閉機構（１００）。
【発明の詳細な説明】
【技術分野】
【０００１】
本発明は、蓋開閉機構に関する。
【背景技術】
【０００２】
従来引き抜いてから回転させることで開閉する蓋を有する機器において、蓋の利便性を向上させるために、回転位相にクリックを設けて開位置の保持をする機構が提案されている。
【０００３】
例えば、特許文献１では、蓋に本体の側面と当接する凸部を設け、その凸部と本体側面の形状によってクリックを発生させる機構が開示されている。
【先行技術文献】
【特許文献】
【０００４】
【特許文献１】特開２００７−２００６０４号公報
【発明の概要】
【発明が解決しようとする課題】
【０００５】
しかしながら、上述の特許文献に開示された従来技術では、蓋が３６０度回転できる必要がある場合には本体側の軸の周りに広い面積を必要としてしまう。また、外観形状上の理由で蓋の引き出し量が多く必要な場合に干渉量の管理が難しくなってしまう。
【０００６】
そこで、本発明の目的は、本体の外観形状に自由度を持たせることが可能な構成で、開位置保持とクリック機構を有する蓋開閉機構を提供することである。
【課題を解決するための手段】
【０００７】
上記目的を達成するために、本発明は、開口部（１０１ａ）を有する本体（１０１）と、前記開口部（１０１ａ）を塞ぐ蓋（１０２）と、を備え、前記本体（１０１）は、前記蓋（１０２）が取り付く穴（１０１ｂ）を有し、前記蓋（１０２）は、前記穴（１０１ｂ）に貫通する軸（１０２ａ）を有し、前記開口部（１０１ａ）は、前記軸（１０２ａ）が、前記穴（１０１ｂ）に対してスライドすることで、解放され、前記蓋（１０２）は、前記開口部（１０１ａ）が解放された状態で、前記軸（１０２ａ）を中心に回転可能に保持され、前記軸（１０２ａ）は凸部（１０２ｃ）を有し、前記穴（１０１ｂ）は凹部（１０１ｃ）を有し、前記凸部（１０２ｃ）と前記凹部（１０１ｃ）は、前記蓋（１０２）が前記軸（１０２ａ）を中心に回転する際に、互いに干渉する位相がひとつ以上存在することを特徴とする。
【発明の効果】
【０００８】
本発明によれば、本体の外観形状に自由度を持たせることが可能な構成で、クリック感の付与と開位置保持が可能な蓋開閉機構を提供することができる。
【図面の簡単な説明】
【０００９】
【図１】本発明の実施形態にかかわる一眼レフカメラ１０の斜視図である。
【図２】蓋１０２の詳細図である。
【図３】閉状態の蓋開閉機構１００の側面図および断面図である。
【図４】開状態の蓋開閉機構１００の側面図および断面図である。
【図５】蓋１０２を引き出した状態の蓋開閉機構１００の前面図および断面図および拡大図である。
【図６】蓋開閉機構１００の透視図である。
【発明を実施するための形態】
【００１０】
以下に、本発明の好ましい実施の形態を、添付の図面に基づいて詳細に説明する。
【００１１】
図１は、本発明の実施形態にかかわる一眼レフカメラ１０の斜視図である。一眼レフカメラ１０は不図示の撮像光学系による光学的な画像を、不図示の撮像センサーにより電気信号に変換して、不図示の情報記録メディアに記録するものである。
【００１２】
一眼レフカメラ１０側面には、ＵＳＢ端子やリモコン端子などの各種端子２０が設けられている。そして、端子２０を埃や水滴から保護する蓋１０２が開閉自在に設けられている。図１（ａ）に示す蓋１０２は閉状態で、外装の一部を形成している。また、図１（ｂ）は蓋１０２の開状態を示している。蓋１０２は引き出してから回転させることによって図１（ｂ）の状態になる。
【００１３】
以下、図２〜７を参照して、本発明の実施例による、蓋開閉機構１００について説明する。
【００１４】
図２は蓋１０２の詳細図である。図２（ａ）は蓋１０２の斜視図、図２（ｂ）は図２（ａ）のＡ部の拡大図、図２（ｃ）は蓋１０２の上面図である。
【００１５】
図３（ａ）は閉状態の蓋開閉機構１００の側面図である。蓋開閉機構１００は、一眼レフカメラ１０の一部を形成する側面カバー１０１と、蓋１０２とで構成される。図３（ｂ）は図３（ａ）のＢ−Ｂ断面の図である。ここで、側面カバー１０１は、請求項記載の本体の一例に相当する。
【００１６】
図４（ａ）は開状態の蓋開閉機構１００の側面図である。図４（ｂ）は図４（ａ）のＣ−Ｃ断面の図である。
【００１７】
図５（ａ）は蓋（１０２）を引き出した状態の蓋開閉機構１００の前面図である。図５（ｂ）は図５（ａ）のＤ−Ｄ断面の図である。図４（ｃ）は図４（ｂ）のＥ部の拡大図である。
【００１８】
図４（ｂ）に示すように側面カバー１０１は、端子２０が収まる開口部１０１ａと、穴１０１ｂを有している。蓋１０２は穴１０１ｂに貫通して、蓋１０２を側面カバー１０１に対して回動可能に接続する軸１０２ａを有する。軸１０２ａの先端には、穴１０１ｂに貫通した軸１０２ａが抜けないようにする圧入係止ボス１０２ｂが形成されている。
【００１９】
図２（ｂ）に示すように、軸１０２ａは長手方向に平行な長さを持った２つの凸部１０２ｃを有している。軸１０２ａと圧入係止ボス１０２ｂ、凸部１０２ｃはエラストマーのような弾性率の大きな材料で形成されている。
【００２０】
図５（ｃ）に示すように、穴１０１ｂは複数の凹部１０１ｃを有している。図５（ｃ）に示すように、軸１０２ａの最内径をＦ、凸部１０２ｃを含む最外径をＧ、穴１０１ｂの最外径をＨ、凹部１０１ｃを含む最内径をＫとする。このとき、軸１０２ａ、凸部１０２ｃ、穴１０１ｂ、凹部１０１ｃは、Ｆ＜Ｋ＜Ｇ＜Ｈとなるように設けられている。ユーザーによって軸１０２ａを中心に蓋１０２が回転された際に、凸部１０２ｃを含む最外径Ｇが、凹部１０１ｃを含む最内径Ｋを通過するときに圧縮されて、ユーザーにクリック感として知覚される。
【００２１】
そして、ユーザーが手を離した後は、凸部１０２ｃを含む最外径Ｇが、凹部１０１ｃを含む最内径Ｋを通過することはできず、蓋１０２は一定の範囲に留まる。このようにすることで、ユーザーにとって操作感が良く、手を離しても開状態を維持することが可能な蓋開閉機構１００となる。
【００２２】
また、図２（ｃ）に示すように、凸部１０２ｃは、圧入係止ボス１０２ｂ側から、凸量が徐々に大きくなる区間Ｍ、凸量が徐々に小さくなる区間Ｎに分けられる。
【００２３】
区間Ｍは、開状態において、クリック感の発生と開位置保持をするための領域である。軸１０２ａが弾性率の大きな部材で出来ているため、凸部１０２ｃが凹部１０１ｃを乗り越える際に、軸１０２ａ全体がねじれる。このねじれ量は蓋１０２の引き出し量が多くなると大きくなる。そのため、凸部１０２ｃの凸量が一定だと、蓋１０２の引き出し量に応じて、クリック感が発生する位置が変化する。
【００２４】
この変化は、ユーザーにとって気持ちのいいものでは無い。従って、可能な限りクリック感の発生する位置が変化しないようにするため、引き出し量が多い時に凹部１０１ｃと作用する、先端側の凸部１０２ｃの凸量は小さく、根元側に行くにつれて凸量が大きくなるようになっている。区間Ｍにおいては、凸部１０２ｃはＫ＜Ｇ＜Ｈとなる範囲でその凸量が変化している。
【００２５】
図３（ｂ）に示すように、凸部１０２ｃは、閉状態において区間Ｍおよび区間Ｎが穴１０１ｂの外部に存在するように設けられている。このようにすることで、開状態から閉状態にする際に、蓋１０２を回転させながら閉じた際にも、軸１０２ａが必ず正しい位相で収納されるようになる。区間Ｎは、閉状態から開状態にする際に、凸部１０２ｃと凹部１０１ｃがスラスト方向で干渉して、開動作を妨げないようにするために設けられている。
【００２６】
図６は蓋開閉機構１００の透視図である。図６（ａ）は閉状態、図６（ｂ）はカメラ正位置で開口部１０１ａを露出させたときの位相、図６（ｃ）はカメラ逆位置で開口部１０１ａを露出させたときの位相を示している。
【００２７】
図６（ｂ）に示すように、凹部１０１ｃは、一眼レフカメラ１０が正位置である時、蓋１０２が、自重による回転力と、凸部１０２ｃと凹部１０１ｃとで発生する保持力によって、開口部１０１ａにオーバーラップしない位置に保持されるように設けられている。このようにすることによって、ケーブル１０３の着脱を行う際に、ユーザーの邪魔にならない。
【００２８】
図６（ｃ）に示すように、凹部１０１ｃは、一眼レフカメラ１０が正位置以外の姿勢をしている時にも、蓋１０２が図６（ｂ）で保持されていた位置から大きく回転した位置に移動しないように設けられている。このようにすることによって、一眼レフカメラ１０を正位置以外の姿勢にしてケーブル１０３の着脱を行う際にも、蓋１０２がユーザーの邪魔にならない。さらに、蓋１０２が不要に回転しすぎることを防止し、ユーザーに不要な動作をさせないことが可能となる。
【００２９】
ここまで、凹部１０１ｃで蓋１０２の保持位相を作成する構成を説明してきたが、凸部１０２ｂを複数用意して、凸部１０２ｃで保持位相を作成する構成をとっても良い。
【００３０】
以上説明したように、本実施例のような構成にすることで、３６０度回転できる蓋でも、必要な箇所でクリック感を出し、必要な箇所で蓋を保持することができるようになる。また、本体の穴の周辺に形状を必要としないため、省スペース化になり、軸の引き出し量が自由に設定できるため、外観形状による制約を受けにくい。よって、本体の外観形状に自由度を持たせることが可能な構成で、クリック感の付与と開位置保持が可能な蓋開閉機構を提供することが可能となる。
【００３１】
以上、本発明の好ましい実施形態について説明したが、本発明はこれらの実施形態に限定されず、その要旨の範囲内で種々の変形及び変更が可能である。
【符号の説明】
【００３２】
１０          一眼レフカメラ
２０          端子
１００        蓋開閉機構
１０１        側面カバー
１０１ａ      開口部
１０１ｂ      穴
１０１ｃ      凹部
１０２        蓋
１０２ａ      軸
１０２ｂ      圧入係止ボス
１０２ｃ      凸部
１０３        ケーブル
１０４        保護部材
【図１】
2019132871.tif 000003
【図２】
2019132871.tif 000004
【図３】
2019132871.tif 000005
【図４】
2019132871.tif 000006
【図５】
2019132871.tif 000007
【図６】
2019132871.tif 000008